(57)【要約】  【課題】  撮像部のレンズを保護するレンズ保護部を用い、該レンズ保護部の鏡体が被写体を写す方向と同方向位置にモニタ部を固定して配することができるようにする。  【解決手段】  レンズ１１を有する撮像部１及び該撮像部１を支持し、レンズ１１の光軸ａを中心として回転自在の回転体３２を有する支持部３と、レンズ１１と対向する鏡体４１を有し、回転体３２に揺動可能に枢支されたレンズ保護部４とを備えており、レンズ保護部４は、鏡体４１にて反射する光がレンズ１１の光軸ａ上となるレンズ開放位置で停止させる構成とすることにより、鏡体４１が被写体を写す方向と同方向位置にモニタ部２を固定して配することができるようにした。  【選択図】      図１
2006106281.tif 000002
【特許請求の範囲】
【請求項１】
レンズを有する撮像部及び該撮像部を支持した支持部と、前記レンズと対向する鏡体を有し、前記支持部に揺動可能に枢支されたレンズ保護部とを備えた携帯機器において、前記レンズ保護部は、前記鏡体にて反射する光が前記レンズの光軸上となるレンズ開放位置で揺動を停止する構成にしてあることを特徴とする携帯機器。
【請求項２】
前記レンズ開放位置は、前記鏡体の鏡面のなす角度が前記光軸に対して４５°となる位置であり、前記支持部の前記光軸と直交する位置にモニタ部が固定されている請求項１記載の携帯機器。
【請求項３】
前記レンズ保護部を前記レンズ開放位置でロックするロック手段を有する請求項１又は２記載の携帯機器。
【請求項４】
前記レンズ保護部は、前記レンズの光軸を中心として回転自在である請求項１乃至３のいずれか一つに記載の携帯機器。
【請求項５】
前記支持部は前記レンズの光軸を中心として回転自在の回転体を備え、該回転体に前記レンズ保護部を枢支してある請求項１乃至４のいずれか一つに記載の携帯機器。
【請求項６】
前記回転体は前記支持部に回転自在に外嵌される環部と、該環部からラジアル方向内側へ突設されたフランジとを有し、該フランジに前記レンズ保護部を枢支してある請求項５記載の携帯機器。
【発明の詳細な説明】
【技術分野】
【０００１】
本発明はデジタルビデオカメラ、デジタルスチルカメラ、携帯電話等の携帯機器に関する。
【背景技術】
【０００２】
図６は従来のビデオカメラの構成を示す斜視図である。デジタルビデオカメラ等の携帯機器は、被写体を撮像するためのレンズ１００を有する撮像部１０１と、該撮像部１０１を支持する支持部１０２と、撮像部１０１による撮像状況を目視確認するためのモニタ部１０３とを備えており、該モニタ部１０３は撮像部１０１が支持された支持部１０２にヒンジ１０４により取着され、支持部１０２に対して開閉可能及び開いた状態で回動自在となるように構成されている（例えば、図６）。
【０００３】
また、前記レンズを被覆して保護するレンズ保護体が前記支持部に紐体により吊下げられた構成になっており、非撮像時にはレンズ部にレンズ保護体を外嵌してレンズを保護し、撮像時には、レンズ保護体をレンズ部から取外すように構成されたデジタルビデオカメラも知られている。
【０００４】
また、レンズを有する撮像部を支持した支持部に、前記レンズと対向する鏡体を有するレンズ保護部を揺動自在に枢支し、非撮像時にはレンズ保護部がレンズを保護し、撮像部により撮像者自身を撮像するとき、レンズ保護部をレンズの光軸と直交する位置へ揺動させ、被写体である撮像者が撮像部の撮像範囲に入っているか否かを前記鏡体により目視確認することができるように構成された携帯機器も知られている（例えば、特許文献１）。      
【特許文献１】特開２００２−３６５６９７号公報
【発明の開示】
【発明が解決しようとする課題】
【０００５】
ところが、図６のように構成された携帯機器にあっては、モニタ部及び支持部のそれぞれに分離独立した筺体と、モニタ部を開閉可能及び開いた状態で回動自在となるように枢支する枢支機構と、モニタ部を撮像部に電機的に接続する平板状の信号線とを必要とするため、部品点数が比較的多く、構造が複雑であった。また、支持部の筺体とは別個にモニタ部用の筺体が必要であるため、携帯機器の小形化が制約され、携帯機器の全体が比較的大形になるという問題があった。
【０００６】
また、レンズ保護体が紐体により吊下げられたビデオカメラにあっては、紐体により吊下げられたレンズ保護体を手動で脱着操作する必要があるため、このレンズ保護体の脱着操作が億劫になり、改善策が要望されていた。また、レンズ保護体が紐体により吊下げられているため、紐体が邪魔であった。
【０００７】
また、特許文献１の携帯機器にあっては、撮像者自身を対面撮像するときの撮像状況をレンズ保護部で目視確認することができるにすぎなかった。
【０００８】
本発明は斯かる事情に鑑みてなされたものであり、主たる目的はレンズ保護部を、鏡体にて反射する光がレンズの光軸上となるレンズ開放位置で揺動を停止する構成とすることにより、鏡体が被写体を写す方向と同方向位置にモニタ部を固定して配することができる携帯機器を提供することにある。
【０００９】
また、他の目的はレンズ保護部のレンズ開放位置を、鏡体の鏡面のなす角度がレンズの光軸に対して４５°となる位置とし、支持部の前記光軸と直交する位置にモニタ部を固定することにより、モニタ部用の筺体、及びモニタ部用の平板状の信号線をなくすることができる携帯機器を提供することにある。
【００１０】
また、他の目的はレンズ保護部をレンズ開放位置でロックするロック手段を設けることにより、レンズ保護部を正確なレンズ開放位置に容易に配することができ、しかも、レンズ保護部をレンズ開放位置に維持することができる携帯機器を提供することにある。
【００１１】
また、他の目的はレンズ保護部を、レンズの光軸を中心として回転自在とすることにより、任意の撮像角度で被写体を捉え、撮像することができる携帯機器を提供することにある。
【００１２】
また、他の目的はレンズの光軸を中心として回転自在の回転体を支持部に設け、該回転体にレンズ保護部を枢支することにより、任意の撮像角度で被写体を捉えることができ、支持部を把持した状態で回転体を回転操作することが可能な携帯機器を提供することにある。
【００１３】
また、他の目的は回転体を、支持部に回転自在に外嵌される環部と、該環部からラジアル方向内側へ突設されたフランジとを有し、該フランジにレンズ保護部を枢支した構成とすることにより、支持部を把持した状態でレンズ保護部に邪魔されることなく、環部を操作することができる携帯機器を提供することにある。
【課題を解決するための手段】
【００１４】
本発明に係る携帯機器は、レンズを有する撮像部及び該撮像部を支持した支持部と、前記レンズと対向する鏡体を有し、前記支持部に揺動可能に枢支されたレンズ保護部とを備えた携帯機器において、前記レンズ保護部は、前記鏡体にて反射する光が前記レンズの光軸上となるレンズ開放位置で揺動を停止する構成にしてあることを特徴とする。
【００１５】
この発明にあっては、携行時等の非撮像時にはレンズ保護部がレンズ保護位置にあり、レンズを保護しているため、携行時等の非撮像時に誤ってレンズが汚れたり、傷ついたりするのを防ぐことができる。被写体を対面撮像する場合、レンズ保護部をレンズと離隔する方向へ揺動させることにより、該レンズ保護部をレンズ開放位置で停止することができ、このレンズ開放位置で鏡体にて反射する光がレンズの光軸上となり、鏡体が写した被写体を撮像することができる。このように鏡体にて反射する光がレンズの光軸上となるため、鏡体が被写体を写す方向と同方向位置にモニタ部を固定して配することができる。従って、撮像部を支持する支持部にモニタ部を一体的に組込むことができ、モニタ部用の筺体、及びモニタ部用の平板状の信号線をなくすることができ、携帯機器の全体を小形化でき、また、部品点数を削減できる。また、レンズ保護部は支持部に枢支されているため、レンズ保護部を紛失するのを防ぐことができる。
【００１６】
また、本発明に係る携帯機器は、前記レンズ開放位置は、前記鏡体の鏡面のなす角度が前記光軸に対して４５°となる位置であり、前記支持部の前記光軸と直交する位置にモニタ部が固定されていることを特徴とする。
【００１７】
この発明にあっては、被写体を対面撮像する場合、レンズ保護部をレンズ開放位置へ揺動させることにより、鏡体の鏡面のなす角度がレンズの光軸に対して４５°となり、鏡体にて反射する光がレンズの光軸上となるため、鏡体が写した被写体を撮像することができる。また、支持部の前記光軸と直交する位置にモニタ部が固定されているため、レンズの大きさに関係なくモニタ部を大きくでき、撮像状況の目視確認が行い易い。尚、鏡体の鏡面のなす角度がレンズの光軸に対して４５°未満及び４５°を超える場合は、鏡体が写した被写体を撮像部で高精度に撮像することができない。
【００１８】
また、本発明に係る携帯機器は、前記レンズ保護部を前記レンズ開放位置でロックするロック手段を有することを特徴とする。
【００１９】
この発明にあっては、レンズ保護部をレンズと離隔する方向へ揺動させるとき、該レンズ保護部をレンズ開放位置にロックすることができるため、レンズ保護部を正確なレンズ開放位置に容易に配することができ、しかも、レンズ保護部に風圧等の外力が加わった場合においてもレンズ保護部をレンズ開放位置に維持することができ、正確に撮像することができる。
【００２０】
本発明に係る携帯機器は、前記レンズ保護部は、前記レンズの光軸を中心として回転自在であることを特徴とする。
【００２１】
この発明にあっては、レンズ開放位置へ揺動されたレンズ保護部を、前記光軸を中心とする任意の位置に移動させることができ、任意の撮像角度で被写体を捉え、撮像することができる。
【００２２】
また、本発明に係る携帯機器は、前記支持部は前記レンズの光軸を中心として回転自在の回転体を備え、該回転体に前記レンズ保護部を枢支してあることを特徴とする。
【００２３】
この発明にあっては、支持部が回転体を有しており、該回転体にレンズ保護部が枢支されているため、レンズ保護部をレンズ開放位置へ揺動させた状態で、前記光軸を中心とする任意の位置にレンズ保護部を移動させることができ、自由なアングルで被写体を捉えることができる。また、支持部を把持した状態で回転体を回転操作することが可能であるため、撮像時の手振れを防ぎ易い。
【００２４】
また、本発明に係る携帯機器は、前記回転体は前記支持部に回転自在に外嵌される環部と、該環部からラジアル方向内側へ突設されたフランジとを有し、該フランジに前記レンズ保護部が枢支されていることを特徴とする。
【００２５】
この発明にあっては、回転体の環部が支持部に外嵌され、環部からラジアル方向内側へ突設されたフランジにレンズ保護部が枢支されているため、支持部を把持した状態でレンズ保護部に邪魔されることなく、環部を操作することができ、レンズ保護部の正確なレンズ開放位置を狂わせることなく回転体を容易に回転させることができる。
【発明の効果】
【００２６】
本発明によれば、鏡体が被写体を写す方向と同方向位置にモニタ部を固定して配することができるため、撮像部を支持する支持部にモニタ部を一体的に組込むことができ、モニタ部用の筺体、及びモニタ部用の平板状の信号線をなくすることができ、携帯機器の全体を小形化できるのであり、しかも、部品点数を削減でき、携帯機器のコストを低減できる。
【００２７】
また、本発明によれば、支持部の光軸と直交する位置にモニタ部が固定されているため、モニタ部用の筺体、及びモニタ部用の平板状の信号線をなくすることができ、携帯機器の全体を小形化できるのであり、しかも、部品点数を削減でき、携帯機器のコストを低減できるのであり、また、レンズの大きさに関係なくモニタ部を大きくでき、撮像状況の目視確認が行い易い。
【００２８】
また、本発明によれば、レンズ保護部を正確なレンズ開放位置に容易に配することができ、しかも、レンズ保護部に風圧等の外力が加わる場合においてもレンズ保護部をレンズ開放位置に維持することができ、正確に撮像することができる。
【００２９】
また、本発明によれば、レンズ開放位置へ揺動されたレンズ保護部を、前記光軸を中心とする任意の位置に移動させることができ、自由なアングルで被写体を捉え、撮像することができる。
【００３０】
また、本発明によれば、レンズ保護部をレンズ開放位置へ揺動させた状態で、前記光軸を中心とする任意の位置にレンズ保護部を移動させることができ、任意の撮像角度で被写体を捉えることができ、また、撮像時の手振れを防ぎ易い。
【００３１】
また、本発明によれば、支持部を把持した状態でレンズ保護部に邪魔されることなく、環部を操作することができ、レンズ保護部の正確なレンズ開放位置を狂わせることなく回転体を容易に回転させることができる。
【発明を実施するための最良の形態】
【００３２】
以下本発明をその実施の形態を示す図面に基づいて詳述する。図１は本発明に係る携帯機器の構成を示す斜視図、図２は携帯機器の構成を示す一部を省略した縦断平面図、図３はロック手段部分の構成を拡大して示すもので、(a) は正面図、(b) は(a) のIII −III 線の断面図、図４は携帯機器のレンズ保護部をレンズ開放位置へ揺動させた状態の説明図、図５はレンズ保護部が枢支された回転体を光軸を中心として移動させた状態の説明図である。この携帯機器はレンズ１１及びＣＣＤ撮像素子を有する撮像部１と、該撮像部１による撮像状況を目視確認するためのモニタ部２、換言すればビューファインダと、撮像部１及びモニタ部２を支持した支持部３と、レンズ１１を被覆して保護し、レンズ１１の光軸ａと交差する方向への揺動及び前記光軸ａを中心とする回転を自在としたレンズ保護部４とを備えたデジタルビデオカメラである。
【００３３】
支持部３は上部に半円形の湾曲面を有する略直方体をなす支持部本体３１と、該支持部本体３１の一側部にレンズ１１の光軸ａを中心として回転自在であり、取外し可能に取着された回転体３２とからなり、支持部本体３１に撮像部が内蔵されており、支持部本体３１の前面部に窓孔３１ａが設けられており、該窓孔３１ａにモニタ部２を配してあり、回転体３２にレンズ保護部４が揺動可能に枢支されている。支持部本体３１の一側部の外周部には環状凹所３１ｂと、該環状凹所３１ｂに突設された環状凸部３１ｃとが設けられている。
【００３４】
回転体３２は環状凹所３１ｂに回転自在に外嵌される円形の環部３２ａと、該環部３２ａからラジアル方向内側へ突設された円板状のフランジ３２ｂとを有しており、環状凹所３１ｂに取外し可能に外嵌されている。環部３２ａは環状凸部３１ｃに係合する環状の係合凸部３２ｃを有しており、フランジ３２ｂは離隔した位置に突設された二つの枢軸３２ｄ，３２ｄと、該枢軸３２ｄ，３２ｄ間に配され、後記する鏡体にて反射する光がレンズ１１の光軸ａ上となるようにレンズ保護部４をレンズ開放位置でロックするロック部材５とを有する。このロック部材５は、離隔して対向し、その内側に係止凹部５１ａが設けられた一対の可撓板部５１，５１を有する。
【００３５】
環部３２ａ及び環状凹所３１ｂの一方の複数の周方向位置には位置決め用の凹部が設けられており、環部３２ａ及び環状凹所３１ｂの他方には前記位置決め用の凹部に係合する位置決め用の凸部が設けられており、凹部及び凸部の係合により回転体３２を周方向の複数位置、ひいてはレンズ保護部４を複数の位置で位置決めするように構成されている。
【００３６】
モニタ部２は液晶パネルを有しており、支持部３の窓孔３１ａに一体的に組込まれ、支持部３内で撮像部１に電気的に接続されている。撮像部１はレンズが捉えた光学像を映像信号に変換するＣＣＤ撮像素子と、該ＣＣＤ撮像素子が変換した映像信号を左右に反転させる映像左右反転処理回路とを有する。
【００３７】
レンズ保護部４はレンズ１１と対向する円板状の鏡体４１と、該鏡体４１の裏面に接合され、鏡体４１を保持した保持板４２とを有しており、前記光軸ａに対して直交するレンズ保護位置から鏡体４１を反射する光がレンズ１１の光軸ａ上となるレンズ開放位置、換言すれば、鏡体４１の鏡面のなす角度が光軸ａに対して４５°となるレンズ開放位置へ揺動自在となるように構成されている。鏡体４１は平面鏡を用いているが、その他、凸面鏡又は凹面鏡を用いてもよい。
【００３８】
保持板４２には、枢軸３２ｄ，３２ｄが内嵌される二つの軸孔４２ａ，４２ａと、ロック部材５の可撓板部５１，５１間に嵌合される嵌合軸部４２ｂとが設けられている。この嵌合軸部４２ｂは係止凹部５１ａに対応する凸部４２ｃを有しており、レンズ保護部４がレンズ開放位置へ揺動するとき、凸部４２ｃが可撓板部５１，５１を撓ませつつ係止凹部５１ａと係合し、レンズ保護部４をロックし、レンズ保護部４の鏡体４１を反射する光がレンズ１１の光軸ａ上となるように構成されている。
【００３９】
以上のように構成された携帯機器は、モニタ部２が支持部３の支持部本体３１に一体的に組込まれており、モニタ部用の筺体、及びモニタ部用の平板状の信号線がないため、携帯機器の全体を小形化でき、また、部品点数を削減でき、コストを低減できる。
【００４０】
携帯機器の携行時等の非撮像時には、レンズ保護部４がレンズ保護位置にあり、鏡体４１がレンズ１１と向き合いレンズ１１を保護している。このため、携行時等の非撮像時に誤ってレンズ１１を汚したり、レンズ１１を傷つけたりすることを防ぐことができる。
【００４１】
被写体を対面撮像すべく、レンズ保護部４をレンズ１１と離隔する方向へ揺動させると、レンズ保護部４の嵌合軸部４２ｂがロック部材５の可撓板部５１，５１間に嵌入され、凸部４２ｃが係止凹部５１ａと係合し、レンズ保護部４は鏡体４１を反射する光がレンズ１１の光軸ａ上となるレンズ開放位置、換言すれば鏡体４１の光軸ａに対する傾斜角度が４５°になった位置でロックされ、レンズ保護部４をレンズ開放位置に維持することができる。このようにレンズ開放位置でロックされたレンズ保護部４の鏡体４１を被写体に向けると、鏡体４１にて反射した光がレンズ１１に入射され、撮像部による撮像状況をモニタ部２で目視確認することができ、支持部３に設けられた撮像釦を押し操作することにより被写体を撮像することができる。
【００４２】
被写体の対面撮像時において、支持部３を把持した状態で、支持部３を把持する手の指で回転体３２を回転操作することにより、レンズ開放位置にロックされているレンズ保護部４を、レンズ１１の光軸ａを中心とする任意の位置、例えば図５のように１８０°移動した位置に移動させることができる。このため、自由なアングルで被写体を捉え、撮像することができる。また、支持部３を把持した状態で、換言すれば支持部３を把持した手の指で回転体３２を回転操作することができるため、撮像時の手振れを防ぎ易い。また、回転体３２の支持部本体３１への取着部には位置決め用の凹部及び位置決め用の凸部が設けられているため、回転体３２に枢支されたレンズ保護部４を所定の位置へ正確に移動させることができ、また、前記凹部及び凸部の係合／離脱時にクリック感を得ることができ、レンズ保護部４を目視することなくレンズ保護部４の移動位置を知ることができる。
【００４３】
尚、以上説明した実施の形態では、支持部３が回転体３２を備え、該回転体３２にレンズ保護部４を枢支してなる携帯機器について説明したが、その他、回転体３２をなくし、レンズ保護部４を支持部３に直接枢支した構成としてもよい。
また、本発明に係る携帯機器は、デジタルビデオカメラである他、デジタルスチルカメラ、携帯電話であってもよい。
【図面の簡単な説明】
【００４４】
【図１】本発明に係る携帯機器の構成を示す斜視図である。
【図２】本発明に係る携帯機器の構成を示す一部を省略した縦断平面図である。
【図３】本発明に係る携帯機器のロック手段部分の構成を拡大して示すもので、(a) は正面図、(b) は(a) のIII −III 線の断面図である。
【図４】本発明に係る携帯機器のレンズ保護部をレンズ開放位置へ揺動させた状態の説明図である。
【図５】本発明に係る携帯機器のレンズ保護部が枢支された回転体を光軸を中心として移動させた状態の説明図である。
【図６】従来のビデオカメラの構成を示す斜視図である。
【符号の説明】
【００４５】
１    撮像部
１１  レンズ
ａ    光軸
２    モニタ部
３    支持部
３２  回転体
３２ａ  環部
３２ｂ  フランジ
４    レンズ保護部
４１  鏡体
４２ｂ  嵌合軸部（ロック手段）
５    ロック部材（ロック手段）
【図１】
2006106281.tif 000003
【図２】
2006106281.tif 000004
【図３】
2006106281.tif 000005
【図４】
2006106281.tif 000006
【図５】
2006106281.tif 000007
【図６】
2006106281.tif 000008